(57)【要約】【課題】運転者である乗員との間で熱移動を生じる伝熱媒体の温度を単に低下させる場合と同程度の温度にまで伝熱媒体の温度を低下させなくても、その場合と同程度の覚醒効果を得ることが可能な眠気抑制装置を提供する。【解決手段】眠気抑制装置１０の制御部は、運転者８２の覚醒を促す際には、運転者８２との間で熱移動を生じる乗員周辺空気の温度を一旦上昇させた後に運転者８２に冷感を与えるように冷温風ユニット１１を制御する。従って、乗員周辺空気の温度を単に低下させる構成例を想定した場合、その構成例と同程度の温度にまで乗員周辺空気の温度を低下させなくても、冷感を与えるための乗員周辺空気の温度の低下幅を、その構成例と同程度に生じさせることが可能である。その結果、その構成例と同程度の温度にまで乗員周辺空気の温度を低下させなくても、その構成例と同程度の覚醒効果を得ることが可能である。【選択図】図１
2018144655.tif 000002
【特許請求の範囲】
【請求項１】
乗員（８２）の眠気を抑制する眠気抑制装置であって、
前記乗員との間で熱移動を生じる伝熱媒体の温度を変化させる加熱冷却部（１１、９０、９２）と、
前記乗員の覚醒を促す際には、前記伝熱媒体の温度を一旦上昇させた後に前記乗員に冷感を与えるように前記加熱冷却部を制御する制御部（４０）とを備えている眠気抑制装置。
【請求項２】
前記加熱冷却部は温風供給部（１１２）と加熱部（９０１、９４１）との一方または両方を有し、
前記温風供給部は、前記乗員の覚醒が促される際に、前記乗員が着座する着座シート（８４）周りに温風を供給することにより、前記伝熱媒体としての空気の温度を一旦上昇させるものであり、
前記加熱部は、前記乗員の覚醒が促される際に、前記伝熱媒体として設けられ前記乗員に接触する接触物（８４２、９２１）の温度を一旦上昇させるものである請求項１に記載の眠気抑制装置。
【請求項３】
前記乗員は着座シート（８４）に着座し、
前記加熱冷却部は、前記乗員の覚醒が促される際に前記伝熱媒体の温度を一旦上昇させるときには、該伝熱媒体の温度を一旦上昇させる前の前記着座シート周りの空気温度よりも高い温度にまで前記伝熱媒体の温度を上昇させる請求項１に記載の眠気抑制装置。
【請求項４】
前記加熱冷却部は、前記乗員の覚醒が促される際に前記伝熱媒体の温度を一旦上昇させるときには、該伝熱媒体の温度を一旦上昇させる前の前記着座シート周りの空気温度よりも高い温度にまで前記伝熱媒体の温度を上昇させる請求項２に記載の眠気抑制装置。
【請求項５】
前記加熱冷却部は冷風供給部（１１１）と冷却部（９０２、９４２）との一方または両方を有し、
前記冷風供給部は、前記乗員の覚醒が促される際に、前記乗員が着座する着座シート（８４）周りに冷風を供給することにより、前記乗員に冷感を与えるものであり、
前記冷却部は、前記乗員の覚醒が促される際に、前記伝熱媒体として設けられ前記乗員に接触する接触物（８４２、９２１）を冷却することにより前記乗員に冷感を与えるものである請求項１に記載の眠気抑制装置。
【請求項６】
前記加熱冷却部は冷風供給部（１１１）と冷却部（９０２、９４２）との一方または両方を有し、
前記冷風供給部は、前記乗員の覚醒が促される際に、前記着座シート周りに冷風を供給することにより、前記乗員に冷感を与えるものであり、
前記冷却部は、前記乗員の覚醒が促される際に、前記接触物を冷却することにより前記乗員に冷感を与えるものである請求項２または４に記載の眠気抑制装置。
【請求項７】
前記加熱冷却部は冷風供給部（１１１）と冷却部（９０２、９４２）との一方または両方を有し、
前記冷風供給部は、前記乗員の覚醒が促される際に、前記着座シート周りに冷風を供給することにより、前記乗員に冷感を与えるものであり、
前記冷却部は、前記乗員の覚醒が促される際に、前記伝熱媒体として設けられ前記乗員に接触する接触物（８４２、９２１）を冷却することにより前記乗員に冷感を与えるものである請求項３に記載の眠気抑制装置。
【請求項８】
前記乗員は着座シート（８４）に着座し、
前記加熱冷却部は、前記乗員の覚醒が促される際に前記乗員に冷感を与えるときには、前記伝熱媒体の温度を一旦上昇させる前の前記着座シート周りの空気温度よりも低い温度にまで前記伝熱媒体の温度を低下させる請求項１に記載の眠気抑制装置。
【請求項９】
前記加熱冷却部は、前記乗員の覚醒が促される際に前記乗員に冷感を与えるときには、前記伝熱媒体の温度を一旦上昇させる前の前記着座シート周りの空気温度よりも低い温度にまで前記伝熱媒体の温度を低下させる請求項２ないし７のいずれか１つに記載の眠気抑制装置。
【請求項１０】
前記加熱冷却部は温風供給部（１１２）と冷風供給部（１１１）とを有し、
前記温風供給部は、前記乗員の覚醒が促される際に、前記乗員が着座する着座シート（８４）周りに温風を供給することにより、前記伝熱媒体としての空気の温度を一旦上昇させるものであり、
前記冷風供給部は、前記乗員の覚醒が促される際に、前記着座シート周りに冷風を供給することにより、前記乗員に冷感を与えるものであり、
前記温風は、前記冷風として供給される空気を冷却するペルチェ素子（１４）により加熱された空気で構成される請求項１に記載の眠気抑制装置。
【発明の詳細な説明】
【技術分野】
【０００１】
本発明は、乗員の眠気を抑制する眠気抑制装置に関するものである。
【背景技術】
【０００２】
この種の眠気抑制装置として、例えば特許文献１に記載された運転支援装置が従来から知られている。この特許文献１に記載された運転支援装置は、運転者の覚醒状態を適切に誘導するために手部に冷風を当てる。具体的には、運転支援装置は、運転者の覚醒度を検出する。そして、運転支援装置は、その運転者の覚醒度が所定の範囲内にない場合には、運転者の覚醒度に応じた温度の風（例えば、冷風）を、運転者の手部に対して送風する。
【先行技術文献】
【特許文献】
【０００３】
【特許文献１】特開２０１３−１３０１号公報
【発明の概要】
【発明が解決しようとする課題】
【０００４】
特許文献１の運転支援装置は、運転者としての乗員の覚醒を促す際には、冷風をその乗員の手部に対して送風するが、その手部に対し吹き出される冷風を、乗員の覚醒を促すために十分に低い温度とすることが困難な場合が想定される。例えば、その冷風が空調ユニットから吹き出される場合にその空調ユニットの冷房能力不足が生じる場合、吹き出された冷風が手部へ到達する前に拡散してしまう場合、および、車室内の快適性維持のため冷風の温度を十分に下げることができない場合などがそれである。
【０００５】
このように冷風を十分に低い温度とすることが困難な場合には、その乗員に対する覚醒効果が不十分になる可能性がある。発明者らの詳細な検討の結果、以上のようなことが見出された。
【０００６】
本発明は上記点に鑑みて、乗員との間で熱移動を生じる伝熱媒体の温度を単に低下させる場合と同程度の温度にまで伝熱媒体の温度を低下させなくても、その場合と同程度の覚醒効果を得ることが可能な眠気抑制装置を提供することを目的とする。
【課題を解決するための手段】
【０００７】
上記目的を達成するため、請求項１に記載の眠気抑制装置は、
乗員（８２）の眠気を抑制する眠気抑制装置であって、
乗員との間で熱移動を生じる伝熱媒体の温度を変化させる加熱冷却部（１１、９０、９２）と、
乗員の覚醒を促す際には、伝熱媒体の温度を一旦上昇させた後に乗員に冷感を与えるように加熱冷却部を制御する制御部（４０）とを備えている。
【０００８】
上述のように、制御部は、乗員の覚醒を促す際には、乗員との間で熱移動を生じる伝熱媒体の温度を一旦上昇させた後に乗員に冷感を与えるように加熱冷却部を制御する。従って、伝熱媒体の温度を単に低下させる場合と比較して、それと同程度の温度にまで伝熱媒体の温度を低下させなくても、冷感を与えるための伝熱媒体の温度低下幅を同程度に生じさせることが可能である。その結果、伝熱媒体の温度を単に低下させる場合と同程度の温度にまで伝熱媒体の温度を低下させなくても、その場合と同程度の覚醒効果を得ることが可能である。
【０００９】
なお、特許請求の範囲およびこの欄で記載した括弧内の各符号は、後述する実施形態に記載の具体的内容との対応関係を示す一例である。
【図面の簡単な説明】
【００１０】
【図１】第１実施形態において、眠気抑制装置が設けられた車室内の様子を示した斜視図である。
【図２】第１実施形態において、眠気抑制装置が有する冷温風ユニットを、車両後方側から見て描いた斜視図である。
【図３】第１実施形態において、眠気抑制装置が有する制御部に関する電気系統を示したブロック図である。
【図４】第１実施形態において、眠気抑制装置が有する冷温風ユニットの内部構造を模式的に示した断面図である。
【図５】第１実施形態において、眠気抑制装置の制御部が実行する制御処理を示したフローチャートである。
【図６】比較例の眠気抑制装置が実行する覚醒作動のタイミングチャートを上欄に示すと共に、第１実施形態の眠気抑制装置が図５の制御処理により実行する覚醒作動のタイミングチャートを下欄に示した図である。
【図７】第１実施形態と比較例との各々について、覚醒作動時における乗員周辺温度の時間変化を示した図である。
【図８】第２実施形態において、眠気抑制装置が設けられた車室内の様子を示した斜視図であって、第１実施形態の図１に相当する図である。
【図９】第３実施形態において、眠気抑制装置が設けられた車室内の様子を示した斜視図であって、第１実施形態の図１に相当する図である。
【発明を実施するための形態】
【００１１】
以下、図面を参照しながら、各実施形態を説明する。なお、以下の各実施形態相互において、互いに同一もしくは均等である部分には、図中、同一符号を付してある。
【００１２】
（第１実施形態）
図１に示すように、眠気抑制装置１０は、車両８０の車室内に配置されている。そして、眠気抑制装置１０は、車両８０を運転する乗員である運転者８２の眠気を抑制する装置として構成されている。これにより、例えば、運転者８２が運転中に居眠りしてしまうことが防止される。なお、図１および図２の各矢印ＤＲ１、ＤＲ２、ＤＲ３は、眠気抑制装置１０が搭載された車両８０の向きを示す。すなわち、図１の矢印ＤＲ１は車両上下方向ＤＲ１を示し、図２の矢印ＤＲ２は車両前後方向ＤＲ２を示し、矢印ＤＲ３は車両左右方向ＤＲ３（すなわち、車両幅方向ＤＲ３）を示している。
【００１３】
図２および図３に示すように、眠気抑制装置１０は、冷温風ユニット１１と、その冷温風ユニット１１を制御する制御部４０とを備えている。冷温風ユニット１１は、図１および図２に示すように、車室内にて運転者８２が着座する着座シート８４すなわち運転席シート８４に取り付けられている。詳細には、冷温風ユニット１１は、その運転席シート８４が有するヘッドレスト８４１の近傍で且つ車両後方側に配置されている。
【００１４】
冷温風ユニット１１は、車室内の空調を行う空調ユニットとは別に独立して設けられた装置であり、冷風を吹き出す冷風供給機能と、温風を吹き出す温風供給機能とを備えている。冷温風ユニット１１は、着座した運転者８２の背後から運転者８２の首８２１または頭部８２２に対して冷風と温風とを吹き出すことができる。すなわち、冷温風ユニット１１は、冷風と温風とを選択的に吹き出すことにより、運転者８２との間で熱移動を生じる伝熱媒体の温度を変化させる加熱冷却部として機能する。本実施形態では、その伝熱媒体は車室内の空気、詳細には、着座した運転者８２に接する空気である。なお、図１の矢印ＡＲ１は、冷温風ユニット１１の冷風吹出口１１ａから吹き出された冷風を表し、矢印ＡＲ２は、冷温風ユニット１１の温風吹出口１１ｂから吹き出された温風を表している。
【００１５】
図４に示すように、冷温風ユニット１１は、ケース１２とペルチェ素子１４と冷風用送風機１６と冷風用熱交換器１８と温風用送風機２０と温風用熱交換器２２と吹出口ドア２４とを備えている。
【００１６】
ケース１２は、冷温風ユニット１１の外殻を構成している。ケース１２は、冷風を流す冷風通路１２１ａが内部に形成された冷風用ケース部１２１と、温風を流す温風通路１２２ａが内部に形成された温風用ケース部１２２とを有している。
【００１７】
冷風用ケース部１２１は、冷風通路１２１ａからの冷風を吹き出す冷風吹出通路１２１ｃが形成された冷風吹出部１２１ｂを有している。その冷風吹出通路１２１ｃの空気流れ下流端は、車室内へ開放された冷風吹出口１１ａとなっている。図１および図２に示すように、冷風吹出部１２１ｂは、車両前方側を向いて延びるノズル形状を成し、冷風吹出口１１ａは、運転者８２の首８２１または頭部８２２へ冷風を吹き出すために、車両前方側を向いて開口している。
【００１８】
また、図４に示すように、冷風用ケース部１２１には、ケース１２外の空気を冷風用ケース部１２１内に取り入れるための吸気口１２１ｄが形成されている。
【００１９】
温風用ケース部１２２は、温風通路１２２ａからの温風を吹き出す温風吹出通路１２２ｃが形成された温風吹出部１２２ｂを有している。その温風吹出通路１２２ｃの空気流れ下流端は、車室内へ開放された温風吹出口１１ｂとなっている。図１および図２に示すように、温風吹出部１２２ｂは、車両前方側を向いて延びるノズル形状を成し、温風吹出口１１ｂは、運転者８２の首８２１または頭部８２２へ温風を吹き出すために、車両前方側を向いて開口している。
【００２０】
また、図４に示すように、温風用ケース部１２２には、ケース１２外の空気を温風用ケース部１２２内に取り入れるための吸気口１２２ｄと、温風通路１２２ａからの温風を排気する温風排気口１２２ｅとが形成されている。温風排気口１２２ｅは、その温風排気口１２２ｅから吹き出す温風が、運転席シート８４に着座した運転者８２から離れる方向へ向かうように設けられている。従って、その運転者８２は、温風排気口１２２ｅから吹き出された温風の熱を感じることはない。
【００２１】
ペルチェ素子１４は、吸熱部１４１と発熱部１４２とを有している。そして、ペルチェ素子１４は、通電されることにより、吸熱部１４１にて吸熱作用を生じると共に発熱部１４２にて発熱作用を生じる。ペルチェ素子１４の吸熱部１４１は冷風用ケース部１２１内に配置され、発熱部１４２は温風用ケース部１２２内に配置されている。ペルチェ素子１４に対する通電は、制御部４０によって制御される。
【００２２】
冷風用送風機１６は、制御部４０によって駆動制御される電動送風機である。冷風用送風機１６は、不図示のファンと、そのファンを回転させるモータとを有している。冷風用送風機１６のファンは冷風通路１２１ａに配置されており、冷風用送風機１６は、そのファンの回転により、ケース１２外の空気を矢印ＡＲ３のように冷風用ケース部１２１の吸気口１２１ｄから吸い込むと共に、その吸い込んだ空気を矢印ＡＲ４のように冷風通路１２１ａに流す。
【００２３】
冷風用熱交換器１８は、冷風通路１２１ａのうち冷風用送風機１６のファンに対する空気流れ下流側に配置されている。冷風用熱交換器１８は、冷風用送風機１６からの空気とペルチェ素子１４の吸熱部１４１とを熱交換させる。そのため、ペルチェ素子１４の吸熱部１４１は、冷風用熱交換器１８を介して冷風用送風機１６からの空気を冷却することができる。そして、冷風用送風機１６からの空気は、ペルチェ素子１４の吸熱部１４１によって冷却されると、冷風となって冷風吹出通路１２１ｃへ流れる。
【００２４】
温風用送風機２０は、制御部４０によって駆動制御される電動送風機である。温風用送風機２０は、不図示のファンと、そのファンを回転させるモータとを有している。温風用送風機２０のファンは温風通路１２２ａに配置されており、温風用送風機２０は、そのファンの回転により、ケース１２外の空気を矢印ＡＲ５のように温風用ケース部１２２の吸気口１２２ｄから吸い込むと共に、その吸い込んだ空気を矢印ＡＲ６のように温風通路１２２ａに流す。
【００２５】
温風用熱交換器２２は、温風通路１２２ａのうち温風用送風機２０のファンに対する空気流れ下流側に配置されている。温風用熱交換器２２は、温風用送風機２０からの空気とペルチェ素子１４の発熱部１４２とを熱交換させる。そのため、ペルチェ素子１４の発熱部１４２は、温風用熱交換器２２を介して温風用送風機２０からの空気を加熱することができる。そして、温風用送風機２０からの空気は、ペルチェ素子１４の発熱部１４２によって加熱されると、温風となって温風吹出通路１２２ｃまたは温風排気口１２２ｅへ流れる。
【００２６】
吹出口ドア２４は、温風用ケース部１２２内に設けられており、温風吹出通路１２２ｃと温風排気口１２２ｅとを開閉する。例えば、吹出口ドア２４は、一軸まわりに回動動作する回動ドアとして構成されている。
【００２７】
具体的には、吹出口ドア２４は、その回動動作により、温風を排気する排気位置と、温風を運転者８２へ吹き出させる温風吹出位置とに択一的に位置決めされる。吹出口ドア２４は、その排気位置に位置決めされた場合には、温風吹出通路１２２ｃを塞ぐ一方で、温風排気口１２２ｅを開き温風通路１２２ａへ連通させる。逆に、吹出口ドア２４は、温風吹出位置に位置決めされた場合には、温風排気口１２２ｅを塞ぐ一方で、温風吹出通路１２２ｃを開き温風通路１２２ａへ連通させる。
【００２８】
このような構成から、冷温風ユニット１１のうち、冷風用ケース部１２１、ペルチェ素子１４の吸熱部１４１、冷風用送風機１６、および冷風用熱交換器１８は、全体として冷風供給部１１１を構成している。そして、その冷風供給部１１１は運転席シート８４周りに冷風を供給する。詳細に言えば、その冷風供給部１１１は、運転席シート８４に着座した運転者８２に向けて冷風を吹き出す。
【００２９】
また、冷温風ユニット１１のうち、温風用ケース部１２２、ペルチェ素子１４の発熱部１４２、温風用送風機２０、温風用熱交換器２２、吹出口ドア２４は、全体として温風供給部１１２を構成している。そして、その温風供給部１１２は運転席シート８４周りに温風を供給する。詳細に言えば、その温風供給部１１２は、運転席シート８４に着座した運転者８２に向けて温風を吹き出す。
【００３０】
また、冷風供給部１１１から冷風として吹き出される空気を冷却する冷却源と、温風供給部１１２から温風として吹き出される空気を加熱する加熱源は共通しており、何れもペルチェ素子１４である。言い換えれば、温風供給部１１２から運転席シート８４周りに供給される温風は、冷風供給部１１１から運転席シート８４周りに冷風として供給される空気を冷却するペルチェ素子１４により加熱された空気で構成されている。
【００３１】
なお、冷風供給部１１１からの冷風と温風供給部１１２からの温風とがそれぞれ供給される運転席シート８４周りの空間とは、詳細に言えば図１に示すように、運転者８２の頭部８２２周りの空間である。
【００３２】
図３に示す制御部４０は、不図示のＣＰＵ、ＲＯＭ、ＲＡＭ等からなるマイクロコンピュータで構成された電子制御装置である。その制御部４０に接続されたセンサ等からの信号は、不図示の入力回路によってＡ／Ｄ変換された後にマイクロコンピュータに入力されるように構成されている。
【００３３】
例えば本実施形態では、制御部４０は、冷風用送風機１６を作動させる信号、温風用送風機２０を作動させる信号、および、吹出口ドア２４を作動させる信号をそれぞれ出力する。また、制御部４０は、ペルチェ素子１４に通電される電流を制御する。
【００３４】
また、手動覚醒スイッチ４２からのスイッチ操作信号、および、眠気検知装置４４からの覚醒起動信号が制御部４０へ入力される。その手動覚醒スイッチ４２は、運転者８２に操作されるスイッチであり、例えば図１に示すように、インストルメントパネル８６に設けられている。運転者８２は、その運転者８２自身を覚醒させる作動を眠気抑制装置１０に実行させるときに、手動覚醒スイッチ４２を操作する。手動覚醒スイッチ４２が操作されたことを示すスイッチ操作信号は、その手動覚醒スイッチ４２が操作される毎に図３の制御部４０へ入力される。
【００３５】
図３に示す眠気検知装置４４はマイクロコンピュータ等の制御装置を含んで構成されており、運転者８２のカメラ画像などを用いた周知の方法によって運転者８２の覚醒度を算出する。そして、眠気検知装置４４は、運転者８２が眠気を催しているか否かを、運転者８２の覚醒度に基づいて判定する。
【００３６】
また、眠気検知装置４４には、冷風を用いて運転者８２の覚醒を促す本実施形態の眠気抑制装置１０のほかにも、種々の覚醒アクチュエータが接続されている。眠気検知装置４４は、運転者８２が眠気を催していると判定した場合において、複数の覚醒アクチュエータの中から本実施形態の眠気抑制装置１０を、作動させる覚醒アクチュエータとして選択した場合には、眠気抑制装置１０の制御部４０へ覚醒起動信号を出力する。すなわち、眠気抑制装置１０は、この覚醒起動信号を出力することにより、冷温風ユニット１１で運転者８２を覚醒させるように制御部４０へ指令することができる。なお、本実施形態の眠気抑制装置１０以外の覚醒アクチュエータとしては、光を用いて運転者８２を覚醒させる発光装置、音を用いて運転者８２を覚醒させる警告音発生装置、香りを用いて運転者８２を覚醒させる香り供給装置、および、振動を用いて運転者８２を覚醒させる振動発生装置などを例示することができる。
【００３７】
図５は、制御部４０が実行する制御処理を示したフローチャートである。制御部４０は、例えば車両８０のイグニッションスイッチがオンにされると図５の制御処理を開始し、イグニッションスイッチがオフにされるまで図５の制御処理を継続して実行する。
【００３８】
図５に示すように、ステップＳ０１では、制御部４０は、冷温風ユニット１１の作動準備を行う。具体的に、その作動準備では、図４に示すペルチェ素子１４に通電され、ペルチェ素子１４は、吸熱部１４１が空気を冷却し且つ発熱部１４２が空気を加熱する状態とされる。また、吹出口ドア２４は排気位置に位置決めされる。また、冷風用送風機１６は停止状態とされ、温風用送風機２０は作動させられ、送風状態とされる。
【００３９】
これにより、冷風通路１２１ａ内の空気はペルチェ素子１４の吸熱部１４１によって冷却されるが、冷温風ユニット１１から吹き出されはしない。その一方で、温風通路１２２ａ内の空気はペルチェ素子１４の発熱部１４２によって加熱され、温風となって温風排気口１２２ｅから排気される。要するに、ステップＳ０１では、運転者８２に対して冷風も温風も吹き出されず、冷風と温風とを冷温風ユニット１１から運転者８２へ吹き出させるための準備が為される。図５に示すステップＳ０１の作動準備が完了すると、ステップＳ０１からステップＳ０２へ進む。
【００４０】
ステップＳ０２では、制御部４０は、冷温風ユニット１１を起動させる起動指令を眠気検知装置４４から受けたか否かと、手動覚醒スイッチ４２がオンにされたか否かとをそれぞれ判定する。具体的には、制御部４０は、眠気検知装置４４から覚醒起動信号を得た場合に、眠気検知装置４４から起動指令を受けたと判定する。また、制御部４０は、手動覚醒スイッチ４２からスイッチ操作信号を得た場合に、手動覚醒スイッチ４２がオンにされたと判定する。手動覚醒スイッチ４２のオンとは、その手動覚醒スイッチ４２が操作されたことを表す。
【００４１】
ステップＳ０２において、眠気検知装置４４から起動指令を受けたと判定された場合、または、手動覚醒スイッチ４２がオンにされたと判定された場合には、ステップＳ０３へ進む。その一方で、眠気検知装置４４から起動指令を受けていないと判定され、且つ手動覚醒スイッチ４２がオンにされていないと判定された場合には、再びステップＳ０２が実行される。
【００４２】
なお、後述するようにステップＳ０３、Ｓ０４では、冷温風ユニット１１は運転者８２を覚醒させるように温風と冷風とを順次吹き出す。従って、ステップＳ０２からステップＳ０３へ進む場合とは、言い換えれば、制御部４０が冷温風ユニット１１の作動により運転者８２の覚醒を促す場合であると言える。
【００４３】
ステップＳ０３では、制御部４０は、温風供給部１１２に、温風吹出口１１ｂから運転者８２へ温風を吹き出させる。具体的には、ペルチェ素子１４には既に通電され、温風用送風機２０は既に送風状態にあるので、制御部４０は、吹出口ドア２４を排気位置から温風吹出位置へ回動させることにより温風の吹出しを開始させる。そして、吹出口ドア２４が温風吹出位置に位置決めされている間、温風の吹出しは継続され、制御部４０は、吹出口ドア２４を温風吹出位置から排気位置へ回動させることにより温風の吹出しを終了させる。
【００４４】
この温風の吹出しは一時的に行われるものである。例えば、温風の吹出しは、その吹出し開始時点から、予め定められた温風吹出時間Ｔｗが経過するまで継続し、温風吹出時間Ｔｗが経過した時点で終了する。温風の吹出しが終了すると、ステップＳ０３からステップＳ０４へ進む。
【００４５】
ステップＳ０４では、制御部４０は、冷風供給部１１１に、冷風吹出口１１ａから運転者８２へ冷風を吹き出させる。具体的には、ペルチェ素子１４には既に通電されているので、制御部４０は、冷風用送風機１６を作動させ、停止状態から送風状態に切り替えることにより冷風の吹出しを開始させる。そして、冷風用送風機１６が送風状態にある間、冷風の吹出しは継続され、制御部４０は、冷風用送風機１６を停止させることにより冷風の吹出しを終了させる。
【００４６】
この冷風の吹出しは、その吹出し開始時点から、予め定められた冷風吹出時間Ｔｃが経過するまで継続し、冷風吹出時間Ｔｃが経過した時点で終了する。但し、冷風吹出時間Ｔｃは、温風吹出時間Ｔｗよりも長い時間になっている。冷風の吹出しが終了すると、ステップＳ０４からステップＳ０２へ戻る。
【００４７】
なお、図５の各ステップでの処理は、それぞれの機能を実現する機能部を構成している。
【００４８】
上述した図５の制御処理により温風と冷風とが順次吹き出されることを示したタイミングチャートが、図６のうち本実施形態と記載された下欄に示されている。そして、図６の上欄には、本実施形態と比較される比較例のタイミングチャートが示されている。
【００４９】
その比較例の眠気抑制装置は、眠気検知装置４４から覚醒起動信号が得られた場合または手動覚醒スイッチ４２からスイッチ操作信号が得られた場合に、冷風のみを運転者８２へ向けて供給し、それにより運転者８２の覚醒を促す。例えば、その比較例では、冷風が或る時間送風されると、その送風が停止する。その後、覚醒起動信号またはスイッチ操作信号が得られると、再び冷風のみが運転者８２へ向けて供給される。
【００５０】
図６のタイミングチャートについて説明すると、先ず、ｔ１時点よりも前に、図５のステップＳ０１が実行されている。すなわち、本実施形態の冷温風ユニット１１の作動準備は、図６のｔ１時点で既に完了している。このことは、比較例でも同様である。
【００５１】
また、図６のｔ１時点では、図５のステップＳ０２にて、眠気検知装置４４から起動指令を受けたと判定され、或いは、手動覚醒スイッチ４２がオンにされたと判定されている。要するに、図６のｔ１時点は、図５のステップＳ０２の判定がＮＯからＹＥＳに切り替わった時点を示している。このことは、比較例でも同様である。すなわち、本実施形態でも比較例でも、運転者８２の覚醒を促す覚醒作動がｔ１時点以後の時点（例えば、ｔ２時点）から開始される。
【００５２】
具体的には、図６のｔ１時点で、図５のステップＳ０２の判定がＮＯからＹＥＳに切り替わったので、本実施形態では、ｔ１時点の後のｔ２時点から温風吹出時間Ｔｗが経過するまで、図５のステップＳ０３が実行される。これにより、図６のｔ２時点から温風吹出時間Ｔｗが経過するまでの間、要するにｔ２時点からｔ３時点までの間、温風供給部１１２は温風吹出口１１ｂから運転者８２に対して温風を供給する。
【００５３】
更に、本実施形態では、図６のｔ３時点から冷風吹出時間Ｔｃが経過するまで、図５のステップＳ０４が実行される。これにより、ｔ３時点から冷風吹出時間Ｔｃが経過するまでの間、冷風供給部１１１は冷風吹出口１１ａから運転者８２に対して冷風を供給する。
【００５４】
このような本実施形態の眠気抑制装置１０の作動により、運転者８２周りの空気温度である乗員周辺温度すなわち上述の伝熱媒体の温度は、図７の実線Ｌ１のように変化する。具体的には、その乗員周辺温度は、温風供給部１１２からの温風の温度に一旦到達した後に、冷風供給部１１１からの冷風の温度にまで引き下げられる。
【００５５】
これにより、眠気抑制装置１０は運転者８２に冷感を与え、その運転者８２の覚醒を促す。すなわち、本実施形態において眠気抑制装置１０の制御部４０は、運転者８２の覚醒を促す際には、乗員周辺温度を一旦上昇させた後に運転者８２に冷感を与えるように冷温風ユニット１１を制御する。詳細に言えば、冷温風ユニット１１のうち温風供給部１１２は、運転者８２の覚醒が促される際には、運転席シート８４周りに温風を供給することにより、乗員周辺温度を一旦上昇させる。そして、冷温風ユニット１１のうち冷風供給部１１１は、運転者８２の覚醒が促される際には、上記温風の供給後に、運転席シート８４周りに冷風を供給することにより、運転者８２に冷感を与える。なお、図７の乗員周辺温度とは、詳しくは、運転者８２周りのうち冷風と温風とが供給される箇所の空気温度である。また、運転者８２は運転席シート８４に着座しているので、その乗員周辺温度は、運転席シート８４周りの空気温度と解釈されても差し支えない。
【００５６】
このような本実施形態の眠気抑制装置１０に対し、比較例の眠気抑制装置では、温風は吹き出されないので、図６のｔ２時点から冷風吹出時間Ｔｃが経過するまで、眠気抑制装置は運転者８２に対して冷風を供給する。
【００５７】
このような比較例の眠気抑制装置の作動により、乗員周辺温度は、図７の破線Ｌ２のように、眠気抑制装置から吹き出された冷風の温度にまで引き下げられる。これにより、比較例の眠気抑制装置は運転者８２に冷感を与え、その運転者８２の覚醒を促す。
【００５８】
なお、図６のｔ４、ｔ５、ｔ６時点はそれぞれ、ｔ１、ｔ２、ｔ３時点を作動タイミングとして含む１サイクルの制御の後に実行された制御における各作動タイミングを示している。そして、ｔ４時点はｔ１時点に相当し、ｔ５時点はｔ２時点に相当し、ｔ６時点はｔ３時点に相当する。
【００５９】
また、図７に示すように、本実施形態の冷温風ユニット１１は、運転者８２の覚醒が促される際に乗員周辺温度を一旦上昇させるときには、その乗員周辺温度を一旦上昇させる前の温度Ｔｂよりも高い温度にまで上昇させる。要するに、そのときに吹き出される温風の温度は、その一旦上昇させられる前の乗員周辺温度Ｔｂよりも高くなっている。更に、冷温風ユニット１１は、運転者８２の覚醒が促される際に運転者８２に冷感を与えるときには、乗員周辺温度を一旦上昇させる前の温度Ｔｂよりも低い温度にまで低下させる。要するに、そのときに吹き出される冷風の温度は、その一旦上昇させられる前の乗員周辺温度Ｔｂよりも低くなっている。
【００６０】
上述したように、本実施形態によれば、眠気抑制装置１０の制御部４０は、運転者８２の覚醒を促す際には、運転者８２との間で熱移動を生じる空気の温度を一旦上昇させた後に運転者８２に冷感を与えるように冷温風ユニット１１を制御する。すなわち、図６において本実施形態を、運転者８２との間で熱移動を生じる空気の温度を単に低下させる比較例と対比すれば、本実施形態では、冷風の供給前に温風が一時的に供給されるということが比較例に対し追加されている。
【００６１】
従って、その比較例と比較して、本実施形態では、図７に示すように、その比較例と同程度の温度にまで乗員周辺温度を低下させなくても、冷感を与えるための乗員周辺温度の低下幅を比較例と同程度に生じさせることが可能である。その結果、比較例と同程度の温度にまで乗員周辺温度を低下させなくても、その比較例と同程度の覚醒効果を得ることが可能である。
【００６２】
例えば図７では、本実施形態における乗員周辺温度の低下幅と、比較例における乗員周辺温度の低下幅は何れもΔＴＰであり、互いに同じ大きさである。この乗員周辺温度の低下によって運転者８２に与えられる温度刺激は、比較例でも本実施形態でも同程度である。このように、本実施形態では、温度変化に対する人の感覚器の動特性を活用し、温風の温かさに運転者８２を慣れさせた後に運転者８２に冷感を与え、運転者８２の覚醒を促している。
【００６３】
ここで、図７とは異なり、本実施形態で吹き出される冷風の温度と、比較例で吹き出される冷風の温度とが同程度である場合を想定する。その場合、本実施形態では、温風により運転者８２の身体を温かさに慣れさせた上で冷風を当てることにより、同じ温度の冷風のみを供給する比較例と比べて、冷風が供給された時の空気の温度差が大きくなる。そのため、本実施形態では、運転者８２の感覚器への温度刺激がより大きくなり、覚醒効果が大きくなる。
【００６４】
また、本実施形態によれば、冷温風ユニット１１の温風供給部１１２は、運転者８２の覚醒が促される際に、運転者８２との間で熱移動を生じる伝熱媒体としての空気の温度を、運転席シート８４周りに温風を供給することにより一旦上昇させるものである。従って、運転者８２に対し冷感を与えるに先立ち、空気を介して運転者８２に温度上昇を感じさせることが可能である。
【００６５】
また、本実施形態によれば、冷温風ユニット１１は、運転者８２の覚醒が促される際に、伝熱媒体としての空気の温度を一旦上昇させるときには、その伝熱媒体の温度を一旦上昇させる前の運転席シート８４周りの空気温度よりも高い温度にまで伝熱媒体の温度を上昇させる。従って、伝熱媒体の温度の一旦上昇後に運転者８２が得る冷感を際立たせるように、その伝熱媒体の温度を一旦上昇させることが可能である。
【００６６】
なお、上記の伝熱媒体の温度を一旦上昇させる前の運転席シート８４周りの空気温度は、着座した運転者８２の頭部８２２周り又はヘッドレスト８４１周りの空気温度であることが好ましい。また、運転者８２の覚醒が促される際に上昇した時の伝熱媒体の温度が高いほど、すなわち図５のステップＳ０３で供給される温風の温度が高いほど、温風吹出し後に吹き出される冷風により運転者８２を覚醒させる覚醒効果は大きくなる。
【００６７】
また、覚醒効果を十分に大きくするためには、図５のステップＳ０３で供給される温風によって運転者８２が一時的に温感を得るのが好ましい。例えば、その温風の温度は、運転者８２の周辺温度よりも高いこと（具体的に言えば、３０℃以上）が好ましい。
【００６８】
また、本実施形態によれば、冷温風ユニット１１の冷風供給部１１１は、運転者８２の覚醒が促される際に、運転者８２が着座する運転席シート８４周りに冷風を供給することにより、運転者８２に冷感を与えるものである。従って、空気を介して運転者８２に冷感を与えることが可能である。
【００６９】
また、本実施形態によれば、冷温風ユニット１１は、運転者８２の覚醒が促される際に運転者８２に冷感を与えるときには、伝熱媒体としての空気の温度を一旦上昇させる前の運転席シート８４周りの空気温度よりも低い温度にまで伝熱媒体の温度を低下させる。従って、運転者８２に対する覚醒作用が効果的に生じるように、運転者８２に冷感を与えることが可能である。
【００７０】
なお、上記の伝熱媒体の温度を一旦上昇させる前の運転席シート８４周りの空気温度は、着座した運転者８２の頭部８２２周り又はヘッドレスト８４１周りの空気温度であることが好ましい。また、運転者８２の覚醒が促される際に低下した時の伝熱媒体の温度が低いほど、すなわち図５のステップＳ０４で供給される冷風の温度が低いほど、運転者８２を覚醒させる覚醒効果は大きくなる。
【００７１】
また、本実施形態によれば、冷温風ユニット１１において、温風供給部１１２から供給される温風は、冷風供給部１１１から冷風として供給される空気を冷却するペルチェ素子１４により加熱された空気で構成される。従って、その冷風として供給される空気をペルチェ素子１４が冷却するときに生じる排熱を利用して、運転者８２の覚醒のための温風を生成することが可能である。すなわち、その冷風を生成するためのエネルギーがあれば、その温風を生成するためのエネルギーが不要となる。
【００７２】
（第２実施形態）
次に、第２実施形態について説明する。本実施形態では、前述の第１実施形態と異なる点を主として説明する。また、前述の実施形態と同一または均等な部分については省略または簡略化して説明する。このことは後述の実施形態の説明においても同様である。
【００７３】
図８に示すように、本実施形態では、車室内の空調を行う空調ユニット８８がインストルメントパネル８６内に配置されている。そして、本実施形態の眠気抑制装置１０はその空調ユニット８８に含まれている。例えば、眠気抑制装置１０は、空調ユニット８８のうち眠気抑制装置１０を除いた構成要素に対して物理的に独立しているものではなく、機能として空調ユニット８８に含まれている。
【００７４】
その空調ユニット８８は、例えば、車室内へ吹き出される空気を冷媒に吸熱させて冷却する不図示のエバポレータと、車室内へ吹き出される空気をエンジン冷却水の熱で加熱する不図示のヒータコアとを備えている。従って、空調ユニット８８は冷風供給部１１１と温風供給部１１２とを含み、そのエバポレータは冷風供給部１１１で冷風を生成する冷却源として機能し、ヒータコアは温風供給部１１２で温風を生成する加熱源として機能する。
【００７５】
そして、冷風供給部１１１および温風供給部１１２は、第１実施形態では互いに物理的に独立しているが、本実施形態では物理的に独立してはいない。要するに、空調ユニット８８は、冷風供給部１１１と温風供給部１１２とをそれぞれ機能として含んで構成されている。そして、その冷風供給部１１１と温風供給部１１２は全体として加熱冷却部を構成する。
【００７６】
また、インストルメントパネル８６には、空調ユニット８８で温度調節された空調風を運転者８２の上半身へ向けて吹き出す複数のフェイス吹出口８８ａ、８８ｂが形成されている。
【００７７】
本実施形態の眠気抑制装置１０が有する制御部４０は、第１実施形態と同様に図５の制御処理を実行する。そして、その図５のステップＳ０３、Ｓ０４が実行されると、図８に示す複数のフェイス吹出口８８ａ、８８ｂうちの一つのフェイス吹出口８８ａから矢印ＡＲ７のように、温風と冷風とが運転者８２に対し順次吹き出される。すなわち、冷風吹出口１１ａおよび温風吹出口１１ｂは共通化されており、フェイス吹出口８８ａが冷風吹出口１１ａおよび温風吹出口１１ｂとして機能する。
【００７８】
以上説明したことを除き、本実施形態は第１実施形態と同様である。そして、本実施形態では、前述の第１実施形態と共通の構成から奏される効果を第１実施形態と同様に得ることができる。
【００７９】
また、本実施形態によれば、空調ユニット８８のヒータコアは、温風供給部１１２で温風を生成する加熱源として機能する。従って、眠気抑制装置１０が運転者８２の覚醒を促すための温風の生成に、エンジン排熱を利用することが可能である。
【００８０】
（第３実施形態）
次に、第３実施形態について説明する。本実施形態では、前述の第１実施形態と異なる点を主として説明する。
【００８１】
図９に示すように、本実施形態の眠気抑制装置１０は、冷温風ユニット１１に加え、運転席シート８４に設けられたシート空調装置９０と、ステアリング装置９２に設けられたステアリング温調装置９４とを備えている。
【００８２】
シート空調装置９０は、制御部４０によって制御される装置であり、運転席シート８４の一部分である例えばシートクッション８４２を加熱または冷却する。すなわち、シート空調装置９０は、そのシートクッション８４２の温度を変化させる加熱冷却部である。そのシートクッション８４２は、運転席シート８４のうち運転者８２に対する座部になる部分である。また、そのシートクッション８４２は、運転者８２に接触する接触物である。従って、そのシートクッション８４２は、運転者８２との間で熱移動を生じる伝熱媒体として設けられていることになる。
【００８３】
つまり、シート空調装置９０は、伝熱媒体としてのシートクッション８４２を加熱する加熱部９０１としての機能を備えると共に、そのシートクッション８４２を冷却する冷却部９０２としての機能も備えている。別言すれば、その加熱部９０１と冷却部９０２は互いに物理的に独立したものではなく、機能としてシート空調装置９０に含まれている。
【００８４】
例えば、加熱部９０１として機能するときのシート空調装置９０は、シートクッション８４２内に温風を吹き込むことによりシートクッション８４２を加熱する。また、冷却部９０２としての機能するときのシート空調装置９０は、シートクッション８４２内に冷風を吹き込むことによりシートクッション８４２を冷却する。
【００８５】
ステアリング温調装置９４は、制御部４０によって制御される装置であり、ステアリング装置９２に含まれるリング状のステアリングホイール９２１を加熱または冷却する。すなわち、ステアリング温調装置９４は、そのステアリングホイール９２１の温度を変化させる加熱冷却部である。そのステアリングホイール９２１は、運転者８２が車両８０の運転をする際に握られる。すなわち、そのステアリングホイール９２１は、運転者８２に接触する接触物である。従って、そのステアリングホイール９２１は、運転者８２との間で熱移動を生じる伝熱媒体として設けられていることになる。
【００８６】
つまり、ステアリング温調装置９４は、伝熱媒体としてのステアリングホイール９２１を加熱する加熱部９４１としての機能を備えると共に、そのステアリングホイール９２１を冷却する冷却部９４２としての機能も備えている。別言すれば、その加熱部９４１と冷却部９４２は互いに物理的に独立したものではなく、機能としてステアリング温調装置９４に含まれている。
【００８７】
本実施形態の眠気抑制装置１０が有する制御部４０は、第１実施形態と同様に図５の制御処理を実行する。そして、冷温風ユニット１１、シート空調装置９０、およびステアリング温調装置９４は、図５の制御処理において、制御部４０によって制御される制御対象となり得る。図５の制御処理では、制御部４０は、冷温風ユニット１１とシート空調装置９０とステアリング温調装置９４とのうちの少なくとも何れかを適宜選択し、その選択したもの制御する。
【００８８】
図５の制御処理において制御部４０が例えばシート空調装置９０を制御対象として選択した場合には、ステップＳ０３において制御部４０は、シート空調装置９０を加熱部９０１として機能させ、そのシート空調装置９０にシートクッション８４２を加熱させる。このシートクッション８４２の加熱は一時的なものである。例えば、シートクッション８４２の加熱は、その加熱開始時点から、予め定められた加熱時間Ｔ１ｗが経過するまで継続し、加熱時間Ｔ１ｗが経過した時点で終了する。その加熱時間Ｔ１ｗは、冷温風ユニット１１が温風を吹き出す際の温風吹出時間Ｔｗに相当する。シートクッション８４２の加熱が終了すると、ステップＳ０３からステップＳ０４へ進む。
【００８９】
そして、ステップＳ０４において制御部４０は、シート空調装置９０を冷却部９０２として機能させ、そのシート空調装置９０にシートクッション８４２を冷却させる。このシートクッション８４２の冷却は、その冷却開始時点から、予め定められた冷却時間Ｔ１ｃが経過するまで継続し、冷却時間Ｔ１ｃが経過した時点で終了する。その冷却時間Ｔ１ｃは、冷温風ユニット１１が冷風を吹き出す際の冷風吹出時間Ｔｃに相当するので、冷却時間Ｔ１ｃは、加熱時間Ｔ１ｗよりも長い時間になっている。シートクッション８４２の冷却が終了すると、ステップＳ０４からステップＳ０２へ戻る。
【００９０】
このように、加熱部９０１として機能するときのシート空調装置９０は、運転者８２の覚醒が促される際には、運転者８２に接触する接触物（具体的には、シートクッション８４２）の温度を一旦上昇させる。そして、冷却部９０２として機能するときのシート空調装置９０は、運転者８２の覚醒が促される際には、その接触物であるシートクッション８４２を冷却することにより運転者８２に冷感を与える。
【００９１】
また、図５の制御処理におけるシートクッション８４２の温度変化は、例えば図７の実線Ｌ１のように第１実施形態と同様である。すなわち、シート空調装置９０は、運転者８２の覚醒が促される際にシートクッション８４２の温度を一旦上昇させるときには、そのシートクッション８４２の温度を一旦上昇させる前の運転席シート８４周りの空気温度よりも高い温度にまでシートクッション８４２の温度を上昇させる。そして、シート空調装置９０は、運転者８２の覚醒が促される際に運転者８２に冷感を与えるときには、シートクッション８４２の温度を一旦上昇させる前の運転席シート８４周りの空気温度よりも低い温度にまでシートクッション８４２の温度を低下させる。
【００９２】
また、図５の制御処理において制御部４０が例えばステアリング温調装置９４を制御対象として選択した場合にも、上記のようにシート空調装置９０を選択した場合と同様に、ステアリング温調装置９４は制御される。但し、加熱および冷却される対象は、シートクッション８４２からステアリングホイール９２１に置き換わる。
【００９３】
以上説明したことを除き、本実施形態は第１実施形態と同様である。そして、本実施形態では、前述の第１実施形態と共通の構成から奏される効果を第１実施形態と同様に得ることができる。
【００９４】
また、本実施形態によれば、眠気抑制装置１０は、冷温風ユニット１１に加え、運転席シート８４に設けられたシート空調装置９０と、ステアリング装置９２に設けられたステアリング温調装置９４とを備えている。従って、運転者８２の覚醒を促すための刺激に多様性を持たせることが可能である。
【００９５】
なお、本実施形態は第１実施形態に基づいた変形例であるが、本実施形態を前述の第２実施形態と組み合わせることも可能である。
【００９６】
（他の実施形態）
（１）上述の各実施形態の眠気抑制装置１０は、眠気検知装置４４に接続された複数の覚醒アクチュエータにうちの１つであるが、その眠気検知装置４４に接続された覚醒アクチュエータは、眠気抑制装置１０だけであっても構わない。
【００９７】
（２）上述の各実施形態では図３に示すように、眠気抑制装置１０には、手動覚醒スイッチ４２と眠気検知装置４４とがそれぞれ接続されているが、これは一例である。例えば、手動覚醒スイッチ４２と眠気検知装置４４との一方は設けられていなくても差し支えない。更に、眠気抑制装置１０が例えば運転者８２の眠気を検知する機能を備えているのであれば、手動覚醒スイッチ４２と眠気検知装置４４との両方が設けられていなくても差し支えない。
【００９８】
（３）上述の第１実施形態では図１に示すように、冷温風ユニット１１から冷風と温風とが供給される運転席シート８４周りの空間とは、正確に言えば図１に示すように、運転者８２の頭部８２２周りの空間であるが、これは一例である。例えば、その冷風と温風は、運転席シート８４周りの空間のうち、運転者８２の足元の空間に供給されても差し支えない。
【００９９】
（４）上述の第１実施形態において、眠気検知装置４４には、眠気抑制装置１０を含む複数の覚醒アクチュエータが接続されているが、眠気抑制装置１０以外の覚醒アクチュエータうちの何れかは、車室内の空調を行う空調ユニットに内蔵されたものであってもよい。
【０１００】
（５）上述の第１実施形態では図６に示すように、温風の供給終了時点と冷風の供給開始時点は何れもｔ３時点であり、同時点となっているが、これは一例である。例えば、温風の供給終了時点は、冷風の供給開始時点に対し一致する必要はなく、冷風の供給開始時点に対し僅かであれば先後しても差し支えない。
【０１０１】
（６）上述の第２実施形態では図８に示すように、一つのフェイス吹出口８８ａから矢印ＡＲ７のように、運転者８２の覚醒を促すための温風と冷風とが運転者８２に対し順次吹き出されるが、これは一例である。例えば、インストルメントパネル８６に設けられた複数のフェイス吹出口８８ａ、８８ｂのそれぞれから温風と冷風とが順次吹き出されてもよい。或いは、複数のフェイス吹出口８８ａ、８８ｂの一つのフェイス吹出口８８ａが冷風吹出口１１ａとして機能し、他のフェイス吹出口８８ｂが温風吹出口１１ｂとして機能してもよい。
【０１０２】
更に言えば、運転者８２の覚醒を促すための温風と冷風とが吹き出される吹出口はフェイス吹出口８８ａ、８８ｂに限られない。例えば、運転者８２の覚醒が促される際には、インストルメントパネル８６の下部に設けられたフット吹出口から温風が一時的に吹き出され、その後に、フェイス吹出口８８ａ、８８ｂから冷風が吹き出されてもよい。そのフット吹出口とは、運転席シート８４に着座した運転者８２の足元へ空気を吹き出す吹出口である。要するに、温められる運転者８２の身体部位と、冷やされる運転者８２の身体部位は、相互に異なる部位であってもよいと言うことである。
【０１０３】
（７）上述の第２実施形態では図８に示すように、車両８０に設けられた空調ユニット８８は１つであるが、例えば、空調ユニット８８が複数設けられ、その複数の空調ユニット８８がそれぞれ眠気抑制装置１０を含んでいてもよい。
【０１０４】
（８）上述の第３実施形態では図９に示すように、シート空調装置９０は、運転席シート８４の例えばシートクッション８４２を加熱または冷却するが、そのシートクッション８４２に替えて又はシートクッション８４２と共に、シートバック８４３を加熱または冷却してもよい。そのシートバック８４３は、運転席シート８４のうち運転者８２に対する背もたれになる部分である。
【０１０５】
（９）上述の第３実施形態では図９に示すように、眠気抑制装置１０は、冷温風ユニット１１に加え、シート空調装置９０とステアリング温調装置９４とを備えているが、これは一例である。例えば、眠気抑制装置１０は、シート空調装置９０とステアリング温調装置９４との少なくとも一方を備え、冷温風ユニット１１を備えていなくても差し支えない。
【０１０６】
（１０）上述の各実施形態において、例えば図１、図８、および図９に示された乗員は何れも運転者８２であり、眠気抑制装置１０はその運転者８２の覚醒を促すが、覚醒を促す対象になる対象乗員は運転者８２に限られない。例えば、車両８０において、人間が運転に全く関与する必要がない完全自動の自動運転が実施されるのであれば、その対象乗員は、その完全自動の自動運転を監視する監視者であってもよい。
【０１０７】
（１１）上述の各実施形態において、図５のフローチャートに示す各ステップの処理はコンピュータプログラムによって実現されるものであるが、ハードロジックで構成されるものであっても差し支えない。
【０１０８】
（１２）なお、本発明は、上述の実施形態に限定されることなく、種々変形して実施することができる。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。
【０１０９】
また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１１０】
（まとめ）
上記各実施形態の一部または全部で示された第１の観点によれば、加熱冷却部は、乗員との間で熱移動を生じる伝熱媒体の温度を変化させる。そして、制御部は、乗員の覚醒を促す際には、伝熱媒体の温度を一旦上昇させた後に乗員に冷感を与えるように加熱冷却部を制御する。
【０１１１】
また、第２の観点によれば、加熱冷却部は温風供給部と加熱部との一方または両方を有する。その温風供給部は、乗員の覚醒が促される際に、乗員が着座する着座シート周りに温風を供給することにより、伝熱媒体としての空気の温度を一旦上昇させるものである。また、加熱部は、乗員の覚醒が促される際に、伝熱媒体として設けられ乗員に接触する接触物の温度を一旦上昇させるものである。従って、冷感を与えるに先立ち、空気または接触物を介して乗員に温度上昇を感じさせることが可能である。
【０１１２】
また、第３の観点によれば、加熱冷却部は、乗員の覚醒が促される際に伝熱媒体の温度を一旦上昇させるときには、その伝熱媒体の温度を一旦上昇させる前の着座シート周りの空気温度よりも高い温度にまで伝熱媒体の温度を上昇させる。従って、乗員が得る冷感を際立たせるように、伝熱媒体の温度を一旦上昇させることが可能である。なお、第４の観点は、この第３の観点と同様である。
【０１１３】
また、第５の観点によれば、加熱冷却部は冷風供給部と冷却部との一方または両方を有する。冷風供給部は、乗員の覚醒が促される際に、乗員が着座する着座シート周りに冷風を供給することにより、乗員に冷感を与えるものである。また、冷却部は、乗員の覚醒が促される際に、伝熱媒体として設けられ乗員に接触する接触物を冷却することにより乗員に冷感を与えるものである。従って、空気または接触物を介して乗員に冷感を与えることが可能である。なお、第６の観点および第７の観点は、この第５の観点と同様である。
【０１１４】
また、第８の観点によれば、加熱冷却部は、乗員の覚醒が促される際に乗員に冷感を与えるときには、伝熱媒体の温度を一旦上昇させる前の着座シート周りの空気温度よりも低い温度にまで伝熱媒体の温度を低下させる。従って、乗員に対する覚醒作用が効果的に生じるように、乗員に冷感を与えることが可能である。なお、第９の観点は、この第８の観点と同様である。
【０１１５】
また、第１０の観点によれば、加熱冷却部は温風供給部と冷風供給部とを有する。その温風供給部は、乗員の覚醒が促される際に、乗員が着座する着座シート周りに温風を供給することにより、伝熱媒体としての空気の温度を一旦上昇させるものである。また、冷風供給部は、乗員の覚醒が促される際に、着座シート周りに冷風を供給することにより、乗員に冷感を与えるものである。上記温風は、上記冷風として供給される空気を冷却するペルチェ素子により加熱された空気で構成される。従って、冷風として供給される空気をペルチェ素子が冷却するときに生じる排熱を利用して、乗員の覚醒のための温風を生成することが可能である。すなわち、その冷風を生成するためのエネルギーがあれば、その温風を生成するためのエネルギーが不要となる。
【符号の説明】
【０１１６】
１０      眠気抑制装置
１１      冷温風ユニット（加熱冷却部）
４０      制御部
８２      運転者
９０      シート空調装置（加熱冷却部）
９４      ステアリング温調装置（加熱冷却部）
【図１】
2018144655.tif 000003
【図２】
2018144655.tif 000004
【図３】
2018144655.tif 000005
【図４】
2018144655.tif 000006
【図５】
2018144655.tif 000007
【図６】
2018144655.tif 000008
【図７】
2018144655.tif 000009
【図８】
2018144655.tif 000010
【図９】
2018144655.tif 000011